(57)【要約】      （修正有）【課題】  ロック保持機能の確保と操作性の向上の両立を実現するロック装置を提供する。【解決手段】  ストライカ１２に係脱可能なロック溝４１を備えたロックプレート４と、カム面５１を備え該カム面５１がロックプレート４の係合部４２に係合することで該ロックプレート４のロック位置からロックオフ方向への回動を規制するカムプレート５を備えてなるロック装置において、カムプレート５によりロックプレート４がロック位置で回動規制された状態における係合部４２とカム面５１との接触角αを３°〜５°の範囲に設定する。係る構成とすることで、ストライカ１２側からロックプレート４に過大な外力が入力され、該カムプレート５をロックオフ方向へ回動させるように作用する分力が発生したとしても、該分力の影響を受けることなくカムプレート５を規制位置で保持し、該カムプレート５によってロックプレート４を「ロック位置」で維持させることができる。【選択図】        図４
2006176043.tif 000002
【特許請求の範囲】
【請求項１】
ストライカ（１２）に係脱可能なロック溝（４１）を備えたロックプレート（４）と、カム面（５１）を備え該カム面（５１）が上記ロックプレート（４）の係合部（４２）に係合することで該ロックプレート（４）のロック位置からロックオフ方向への回動を規制するカムプレート（５）を備えてなるロック装置であって、
上記カムプレート（５）により上記ロックプレート（４）がロック位置で回動規制された状態における上記係合部（４２）と上記カム面（５１）との接触角（α）が３°〜５°の範囲に設定されていることを特徴とするロック装置。
【請求項２】
請求項１において、
上記カムプレート（５）が上記ロックプレート（４）をロック位置で回動規制する規制位置から規制解除側へ回動操作されるに伴って、上記接触角（α）が上記設定角度から増大側へ変化するように構成されていることを特徴とするロック装置。
【請求項３】
請求項１において、
上記係合部（４２）と上記カム面（５１）が略点接触する構成であって、
上記カムプレート（５）の上記カム面（５１）が、上記接触角（α）を上記設定角度に維持し得る第１曲面部（５１ａ）と上記接触角（α）を上記設定角度より大きい角度に設定し得る第２曲面部（５１ｂ）を備え、上記カムプレート（５）が上記ロックプレート（４）をロック位置で回動規制する位置から規制解除側へ回動操作されるに伴って、上記係合部（４２）と上記カム面（５１）の接点（Ｐ）が、上記ロックプレート（４）の上記係合部（４２）上を上記第１曲面部（５１ａ）側から上記第２曲面部（５１ｂ）側へ移動するように構成されていることを特徴とするロック装置。
【発明の詳細な説明】
【技術分野】
【０００１】
本願発明は、例えば、車両用シートに備えられて、該シートを車体床面側に着脱自在に連結するためのロック装置に関するものである。
【背景技術】
【０００２】
従来から、車両シート用のロック装置として、種々の構造のものが提案されているが（例えば、特許文献１、２参照）、これら各ロック装置は全て、車体側に固定配置されたストライカに係脱されるロックプレートと、該ロックプレートの回動規制を行なうカムプレートを備え、上記カムプレートにより上記ロックプレートをロック位置において回動規制することでロック状態を実現する一方、上記カムプレートによる上記ロックプレートの回動規制作用を解除することでロックオッフ状態を実現することを基本構成としている。
【０００３】
【特許文献１】特開２００１−２７７９１６号公報（段落「０００３」、「００１３」〜「００１６」、図２）
【特許文献２】特開平８−１３２９４１号公報（段落「０００９」〜［００１２］、図２）。
【発明の開示】
【発明が解決しようとする課題】
【０００４】
ところで、ロック装置においては、例えば、車両の衝突時等において、上記ストライカ側から上記ロックプレート側にこれをロックオフ方向へ回動させる方向に過大な外力が入力された場合であっても、この外力に係らず、上記ロックプレートをロック位置で保持してシートが車体側から離脱するのを確実に防止できること（即ち、「ロック保持機能の確保」）が要求される。
【０００５】
そして、上記カムプレートによる上記ロックプレートの「ロック位置」での保持は、図２２に示すように、カムプレート１０２に設けたカム面１０４にロックプレート１０１に設けた係合部１０３が当接係合し、該ロックプレート１０１のロックオフ方向（矢印Ａ方向）への回動が規制されることで実現されるが、その場合、これら両者の接触角が重要となる。
【０００６】
即ち、上記カムプレート１０２に設けたカム面１０４と上記ロックプレート１０１の係合部１０３との接触角は、カムプレート１０２の回動中心Ｇと接触部の中心Ｐとを結ぶ基準線Ｌ０に対して該接触部の中心Ｐにおける垂直線Ｌ１，Ｌ２がなす角度で規定される。そして、この接触角が０°の時、即ち、上記基準線Ｌ０と上記垂直線Ｌ１、Ｌ２が合致した状態では、上記ロックプレート１０１側から接触部へ入力される外力Ｆは、そのまま上記基準線Ｌ０に沿う圧縮力として作用し、該カムプレート１０１を回動させる方向への分力は生じない。
【０００７】
これに対して、例えば、上記基準線Ｌ０に対して正側に接触角α１が設定されている場合には、外力Ｆによって、上記カムプレート１０２を矢印Ｃ方向へ回動させる方向（即ち、規制解除方向）の分力が発生し、逆に、上記基準線Ｌ０に対して負側に接触角α２が設定されている場合には、外力Ｆによって、上記カムプレート１０２を矢印Ｄ方向へ回動させる方向（即ち、規制方向）の分力が発生する。この分力の発生によって、前者では、上記カムプレート１０２による上記ロックプレート１０１に対する回動規制作用が減殺される傾向となる。また、後者では、ロック状態の保持機能は向上するものの、上記カムプレート１０２を矢印Ｃ方向へ回動操作してロック解除する際の操作力が過大となり、操作性が低下する傾向となる。
【０００８】
従って、ロック装置の仕様決定に際しては、安全上最も要求される「ロック保持機能の確保」とともに、「操作性の向上」も考慮すべきであるが、従来一般には、「ロック保持機能の確保」を偏重して、接触角αを「０」に設定することが多く、このため、操作性という面において不満が残るものであった。
【０００９】
そこで本願発明では、ロック保持機能の確保と操作性の向上の両立を実現するロック装置を提供せんとしてなされたものである。
［発明の技術的背景］
上述のように、ロックプレートとカムプレートの間の接触部への外力によって発生し、カムプレートを回動させる方向に働く分力によってロック装置の性能が左右されることは上述の通りであるが、これを換言すれば、上記分力を適宜コントロールすることで、これをロック装置の性能向上に寄与させ得るということである。
【００１０】
本願発明者は、係る思想の下、上記分力の影響を検討した。
【００１１】
即ち、ロックプレートとカムプレートの接触部には、該ロックプレート側からの外力に基づく上記分力の他に、該外力に基づく摩擦抵抗も作用する。
【００１２】
ここで、カムプレートを回動させる方向に働く上記分力は、外力Ｆと接触角αの積「Ｆ・ｓｉｎα」として表される。一方、外力Ｆによって接触部に作用する摩擦抵抗は、外力Ｆと該接触部の摩擦係数μの積「Ｆ・μ」として表される。
【００１３】
そして、これら両者間には、「Ｆ・ｓｉｎα＝Ｆ・μ」、即ち、「ｓｉｎα＝μ」の条件下においては、上記分力と摩擦抵抗が釣り合う関係がある。また、「ｓｉｎα＜μ」の条件下においては、上記分力がカムプレートの回動に与える影響は少なく、現実的にはこれを無視することができる。さらに、上記摩擦係数μは、上記ロックプレートとカムプレートのように、熱処理された硬い金属同士が接触する構成の場合には、これを「０．１」とすることができる。
【００１４】
以上のことから、
（１）  「ｓｉｎα＜０．１」の条件下、即ち、接触角αが「５．７°」以下の条件下では、外力Ｆの影響を受けることなく、ロック保持機能を確保することが可能であり、
（２）  接触角αが「５．７°」以上の条件下では、上記分力を、カムプレートのロックオフ方向への回動力として作用させて、該カムプレートに対する操作力を軽減して操作性の向上を図ることができる、
ということが知見された。
【課題を解決するための手段】
【００１５】
本願発明では、係る知見に基づき、上記課題を解決するための具体的手段として次のような構成を採用している。
【００１６】
本願の第１の発明では、ストライカ１２に係脱可能なロック溝４１を備えたロックプレート４と、カム面５１を備え該カム面５１が上記ロックプレート４の係合部４２に係合することで該ロックプレート４のロック位置からロックオフ方向への回動を規制するカムプレート５を備えてなるロック装置において、上記カムプレート５により上記ロックプレート４がロック位置で回動規制された状態における上記係合部４２と上記カム面５１との接触角αを３°〜５°の範囲に設定したことを特徴としている。
【００１７】
本願の第２の発明では、上記第１の発明に係るロック装置において、上記カムプレート５が上記ロックプレート４をロック位置で回動規制する規制位置から規制解除側へ回動操作されるに伴って、上記接触角αが上記設定角度から増大側へ変化するように構成したことを特徴としている。
【００１８】
本願の第３の発明では、上記第１の発明に係るロック装置において、上記係合部４２と上記カム面５１が略点接触する構成とするとともに、上記カムプレート５の上記カム面５１を、上記接触角αを上記設定角度に維持し得る第１曲面部５１ａと上記接触角αを上記設定角度より大きい角度に設定し得る第２曲面部５１ｂを備え、上記カムプレート５が上記ロックプレート４をロック位置で回動規制する位置から規制解除側へ回動操作されるに伴って、上記係合部４２と上記カム面５１の接点Ｐが、上記ロックプレート４の上記係合部４２上を上記第１曲面部５１ａ側から上記第２曲面部５１ｂ側へ移動するように構成したことを特徴としている。
【発明の効果】
【００１９】
本願発明では次のような効果が得られる。
【００２０】
（ａ）本願の第１の発明に係るロック装置によれば、ストライカ１２に係脱可能なロック溝４１を備えたロックプレート４と、カム面５１を備え該カム面５１が上記ロックプレート４の係合部４２に係合することで該ロックプレート４のロック位置からロックオフ方向への回動を規制するカムプレート５を備えてなるロック装置において、上記カムプレート５により上記ロックプレート４がロック位置で回動規制された状態における上記係合部４２と上記カム面５１との接触角αを３°〜５°の範囲に設定しているので、例えば、上記ストライカ１２側から上記ロックプレート４に過大な外力が入力され、これによって上記ロックプレート４の係合部４２と上記カムプレート５のカム面５１との接触部に、該カムプレート５をロックオフ方向へ回動させるように作用する分力が発生したとしても、該分力の影響を受けることなく上記カムプレート５を規制位置で保持し、該カムプレート５によって上記ロックプレート４を「ロック位置」で維持させることができ、その結果、ロック装置にとって最も重要な機能、即ち、過大な外力の入力時における「ロック保持機能」が高い信頼性をもって確保される。
【００２１】
（ｂ）本願の第２の発明に係るロック装置によれば、上記（ａ）に記載の効果に加えて次のような特有の効果が得られる。即ち、上記カムプレート５が上記ロックプレート４をロック位置で回動規制する規制位置から規制解除側へ回動操作されるに伴って、上記接触角αが上記設定角度から増大側へ変化するように構成しているので、上記カムプレート５が規制位置に設定された状態では上記接触角αが３°〜５°の範囲に設定されることで該カムプレート５が規制位置で位置保持され、上記ロックプレート４はロック位置においてその回動が阻止され、その結果、「ロック保持機能」が確保される。
【００２２】
一方、上記ロックプレート４をロック位置からロックオフ位置側へ位置変更させてロックオッフ状態とすべく上記カムプレート５に回動操作力が掛けられた場合には、該カムプレート５の回動に伴って上記接触角αが上記設定角度から増大側へ変化し、これによって、上記ロックプレート４側に入力された外力に基づいて接触部に発生し且つ上記カムプレート５を規制位置から規制解除位置側へ回動させるように作用する分力が、上記外力によって上記接触部に発生する摩擦抵抗を次第に上回り、上記回動操作力による上記カムプレート５のロックオフ方向への回動を助長するように作用し、上記分力の寄与分だけ上記カムプレート５に対する操作力が軽減され、操作性が向上することになる。
【００２３】
これらの相乗効果として、この第２の発明に係るロック装置によれば、「ロック保持機能の確保」と「操作性の向上」という二つの相反する要求を同時に満足させることができるものである。
【００２４】
（ｃ）本願の第３の発明に係るロック装置によれば、上記（ａ）に記載の効果に加えて次のような特有の効果が得られる。即ち、上記係合部４２と上記カム面５１が略点接触する構成とするとともに、上記カムプレート５の上記カム面５１を、上記接触角αを上記設定角度に維持し得る第１曲面部５１ａと上記接触角αを上記設定角度より大きい角度に設定し得る第２曲面部５１ｂを備え、上記カムプレート５が上記ロックプレート４をロック位置で回動規制する位置から規制解除側へ回動操作されるに伴って、上記係合部４２と上記カム面５１の接点Ｐが、上記ロックプレート４の上記係合部４２上を上記第１曲面部５１ａ側から上記第２曲面部５１ｂ側へ移動するように構成しているので、上記カムプレート５が規制位置に設定された状態では上記係合部４２と上記カム面５１の接点Ｐが、上記係合部４２の上記第１曲面部５１ａにあり、上記接触角αが上記設定角度に維持されることで、上記カムプレート５が規制位置で位置保持され、その結果、上記ロックプレート４はロック位置においてその回動が阻止され「ロック保持機能」が確保される。
【００２５】
一方、上記ロックプレート４をロック位置からロックオフ位置側へ位置変更させてロックオッフ状態とすべく上記カムプレート５に回動操作力が掛けられて該カムプレート５が規制位置から規制解除位置側へ回動される場合、上記接点Ｐが、上記ロックプレート４の上記係合部４２上を上記第１曲面部５１ａ側から上記第２曲面部５１ｂ側へ移動し、上記接触角αが上記設定角度から増大側へ変化することで、上記ロックプレート４側に入力された外力に基づいて接触部に発生し且つ上記カムプレート５を規制位置から規制解除位置側へ回動させるように作用する分力が、上記外力によって上記接触部に発生する摩擦抵抗を次第に上回り、上記回動操作力による上記カムプレート５のロックオフ方向への回動を助長するように作用し、上記分力の寄与分だけ上記カムプレート５に対する操作力が軽減され、操作性が向上することになる。
【００２６】
これらの相乗効果として、この第３の発明に係るロック装置によれば、「ロック保持機能の確保」と「操作性の向上」という二つの相反する要求を同時に満足させることができるものである。
【発明を実施するための最良の形態】
【００２７】
以下、本願発明を好適な実施形態に基づいて具体的に説明する。
【００２８】
図１〜図３には本願発明の実施形態に係るロック装置Ｚを示している。また、図４には、上記ロック装置Ｚのロック状態における主要構成部材の相対位置関係を示し、さらに、図５には、上記ロック装置Ｚのロックオッフ状態における主要構成部材の相対位置関係を示している。
【００２９】
上記ロック装置Ｚは、次述のように、ベース体１内に、ロックプレート４とカムプレート５及びレリーズプレート６を取付けて構成される。
【００３０】
（１）  ベース体１の構成
上記ベース体１は、図１〜図３に示すように、所定間隔をもって対向配置された一対のプレート１Ａ，１Ｂで構成される。このベース体１の上記各プレート１Ａ，１Ｂには、これら両者間に跨ってこれらの対向方向に貫通する左右一対の支軸、即ち、第１支軸２と第２支軸３が取付けられている。尚、これら各支軸２，３のうち、第１支軸２には次述のロックプレート４とレリーズプレート６が、第２支軸３には次述のカムプレート５が、それぞれ回転自在に支承される。また、上記各プレート１Ａ，１Ｂの上記各支軸２，３の中間位置には、該各プレート１Ａ，１Ｂの下縁に開口して上方へ延びる略矩形の開口溝１４が形成されている。
【００３１】
（２）  ロックプレート４の構成
上記ロックプレート４は、図２及び図４に示すように、略扇形の金属プレートで構成されるものであって、その中心部４ａが上記第１支軸２によって上記ベース体１側に支承され、該第１支軸２回りに矢印Ａ−Ｂ方向へ回動自在とされている。また、このロックプレート４は、その一端側に略Ｕ字状のロック溝４１を備える一方、他端側には、略径方向へ延びる係合部４２を備えている。さらに、上記ロック溝４１の上側口縁部には、これに連続して延びるガイド面４３が設けられている。尚、上記係合部４２の構成については、後述のカムプレート５におけるカム面５１の構成と併せて、後に詳述する。
【００３２】
上記ロックプレート４は、図２及び図４に示す回動位置と、図６に示す回動位置の二位置に選択的に位置決め可能とされる。そして、図２及び図４に示す回動位置では、上記ロック溝４１が横方向に延出し、上記ベース体１の上記開口溝１４に対して略直交状態に交差してここに係入された上記ストライカ１２を保持し得るようになっている。以下、この時のロックプレート４の回動位置を「 ロック位置」という。
【００３３】
これに対して、図５に示す状態では、上記ロックプレート４が上記 「ロック位置」から矢印Ａ方向へ所定量回動して上記ロック溝４１が斜め下方に開口している。この回動位置では、上記ロック溝４１が上記ベース体１側の上記開口溝１４と非重合とされ、該ロック溝４１の口縁部を横切るようにして上記ガイド面４３が該ロック溝４１に重合している。以下、この時のロックプレート４の回動位置を「 ロックオフ位置」という。
【００３４】
そして、上記ロックプレート４は、上記第１支軸２の外側に嵌装された第１スプリング７によって常時Ａ方向（即ち、「ロック位置」から「ロックオフ位置」側）へ回動付勢されるとともに、後述するカムプレート５によって「 ロック位置」にて位置保持可能とされる（図４参照）。さらに、上記ロックプレート４は、上記カムプレート５による位置保持作用が解除されると、上記第１スプリング７のバネ力によって、「ロック位置」から「ロックオフ位置」側へ自動的に位置設定される（図５参照）。尚、上記第１スプリング７は、その一端は上記ロックプレート４に、他端は後述のレリーズプレート６にそれぞれ連結されており、該第１スプリング７によって上記ロックプレート４は矢印Ａ方向に、上記ロックプレート６は矢印Ｂ方向に、それぞれ回動付勢されている。
【００３５】
（３）  カムプレート５の構成
上記カムプレート５は、レバー状の板材で一体形成されるもので、その一端５ａ側が上記第２支軸３によって支承されることで、該第２支軸３を中心として矢印Ｃ−Ｄ方向へ回動自在とされているとともに、上記ベース体１との間に配置した第２スプリング８によって常時矢印Ｄ方向へ回動付勢されている。そして、このカムプレート５は、その他端５ｂ側に、上記ロックプレート４の係合部４２と係合可能なカム面５１を形成しており、図４に示すように、上記カム面５１が上記ロックプレート４の上記係合部４２に係合することで該ロックプレート４を「ロック位置」において位置保持する。以下においては、この時の上記カムプレート５の位置を「規制位置」という。
【００３６】
これに対して、図５に示すように、上記ロックプレート４が上記「規制位置」から矢印Ｃ方向へ回動して、上記カム面５１が上記ロックプレート４の係合部４２から完全に離脱することで、該カムプレート５による上記ロックプレート４の「ロック位置」から「ロックオフ位置」側への回動規制が解除される。以下においては、この時の上記カムプレート５の位置を「規制解除位置」という。
【００３７】
さらに、上記カムプレート５の他端５ｂ側には、係合ピン５２が突設されている。この係合ピン５２は、次述するレリーズプレート６の長溝６１に係入し、これに沿って摺動することで、該レリーズプレート６の変位を上記カムプレート５に伝達してこれを回動させるように作用する。
【００３８】
尚、上記カムプレート５の「規制位置」と「規制解除位置」との間の位置変更は、操作ケーブル９のケーブルインナ１０（図２参照）の押引操作によって、次述のレリーズプレート６を介して行なわれる。
【００３９】
（４）  レリーズプレート６の構成
上記レリーズプレート６は、図２及び図４に示すように、略扇形の板材で一体形成されるものであって、その一端部６ａが上記第１支軸２に支承され、矢印Ａ−Ｂ方向に回動自在とされている。また、このレリーズプレート６の他端部６ｂ側には、傾斜溝部６１ａと該傾斜溝部６１ａの上記第１支軸２から遠い側の端部に連続し上記第１支軸２の軸心を中心として円弧状に延びる円弧溝部６１ｂからなる長溝６１が形成されている。そして、図４に示すように上記カムプレート５が規制位置に設定されている状態では、上記係合ピン５２は上記長溝６１の傾斜溝部６１ａ側の端部に位置し、図５に示すように上記カムプレート５が規制解除位置に設定されている状態では、上記係合ピン５２は上記長溝６１の円弧溝部６１ｂ側の端部に位置するように、該ロックプレート４とカムプレート５の相対位置が設定されている。
【００４０】
（５）  ロックプレート４の係合部４２とカムプレート５のカム面５１の相対関係等
ここで、図６を参照して、上記ロックプレート４の係合部４２と上記カムプレート５のカム面５１の構成及びこれら両者間の相対関係を説明する。
【００４１】
図６には、上記ロックプレート４の係合部４２と上記カムプレート５のカム面５１をそれぞれ拡大図示している。
【００４２】
先ず、上記ロックプレート４側の上記係合部４２は、直線状に延出する直線部４２ａと、該直線部４２ａの端部に連続して延びる曲率半径の大きい第１曲面部４２ｂと、該第１曲面部４２ｂの端部に連続して延びる曲率半径の小さい第２曲面部４２ｃを備えている。
【００４３】
一方、上記カムプレート５のカム面５１は、曲率半径の小さい第１曲面部５１ａと該第１曲面部５１ａｎ端部に連続する曲率半径の大きい第２曲面部５１ｂを備えている。
【００４４】
また、上記カムプレート５側の上記第１曲面部５１ａは上記ロックプレート４側の上記直線部４２ａと対応し、上記カムプレート５側の上記第２曲面部５１ｂは上記ロックプレート４側の上記第１曲面部４２ｂ及び第２曲面部５１ｃの双方に対応するようになっている。
【００４５】
そして、上記カムプレート５の回動に伴って、該カムプレート５側の上記第１曲面部５１ａと上記ロックプレート４側の上記直線部４２ａの接点が該直線部４２ａ上をその端部側から上記第２曲面部５１ｂ寄りへ移動する場合、該接点が上記直線部４２ａ上に在る間はこれら両者間の接触角αが「α＝４°」を維持するように上記第１曲面部５１ａの曲率半径が設定されている（図７〜図１２参照）。
【００４６】
これに対して、上記カムプレート５の回動が進行し、該カムプレート５の第２曲面部５１ｂが上記ロックプレート４側の第１曲面部４２ｂに接触し、さらに第２曲面部４２ｃに接触し、これらの接点が上記第１曲面部４２ｂから上記第２曲面部４２ｃ側へ移動するときには、これら両者間の接触角αが「α＝４°」を越えて次第に増大変化するように、上記カムプレート５の第２曲面部５１ｂと上記ロックプレート４の第１曲面部４２ｂ及び第２曲面部４２ｃの曲率半径が設定されている。
【００４７】
具体的には、上記接点が上記ロックプレート４の第１曲面部４２ｂ上を移動する間においては、上記接触角αが「α＝４°」を越えて「α＝４°」から「α＝１３．５°」程度まで増大変位し（図１３〜図１６参照）、さらに上記接点が上記第１曲面部４２ｂを通過して上記第２曲面部４２ｃ上を移動する間においては、上記接触角αが「α＝１３．５°」から「α＝３２．５°」程度まで増大変位する（図１３〜図１６参照）ように設定されている。
【００４８】
（５）  ロック装置Ｚの作動説明
ここで、図７〜図２１を参照して、上記ロック装置Ｚの作動を説明する。
【００４９】
図７は規制位置に設定された上記カムプレート５によって上記ホルダー４がロック位置に保持されている時の上記カムプレート５とロックプレート４の関係を示している。また図８は、その時の上記カムプレート５のカム面５１と上記ロックプレート４の係合部４２との係合状態を拡大図示している。
【００５０】
この状態では、上記カムプレート５側の第２曲面部５１ｂが上記ロックプレート４側の直線部４２ａに接触し、該直線部４２ａの端部寄りに接点Ｐが位置しており、接触角αが「α＝４°」とされている。この状態は、「α＜５．７°」の条件下であるため、例え上記ロックプレート４側に過大な外力が入力されたとしても、該外力によって接触部に作用する上記分力（即ち、上記カムプレート５を規制位置から規制解除位置側へ回動させるように作用する分力）の影響は無視でき、上記過大な入力にも係らず上記カムプレート５は規制位置を維持することとなり、「ロック保持機能の確保」が実現され、高い信頼性と安全性をもつロック装置Ｚが得られる。
【００５１】
図７に示す状態から、上記カムプレート５に上記ロックプレート６を介して規制解除位置側への操作力がかけられ、該カムプレート５が「１°」回動した状態を図９及び図１０に、さらに該カムプレート５が「２°」回動した状態を図１１及び図１２に、それぞれ示している。これら何れの状態においても、上記カムプレート５側の第２曲面部５１ｂと上記ロックプレート４の直線部４２ａが接触し、上記接点Ｐは上記直線部４２ａ上にあり、接触角αは「α＝４°」を維持している。
【００５２】
従って、この時点まで、即ち、上記ロックプレート６を介して上記カムプレート５が若干回動操作されるまでの間は「ロック保持機能の確保」が図られている。このことは、例えば、操作者の意思によらずに、何らかの原因で上記カムプレート５が不用意に操作された場合には、該操作にかかわらずロック状態が保持され、安全性が確保されるということである。
【００５３】
図１１に示す状態から、図１３及び図１５に示すように、さらに上記カムプレート５が回動操作され、該カムプレート５の回動角が「３°」から「４°」と順次移行した場合には、図１４及び図１６に示すように、上記カムプレート５側の接触点がその第２曲面部５１ｂ上を第１曲面部５１ａ寄りへ移行し、又、上記ロックプレート４側の接触点はその直線部４２ａから第１曲面部４２ｂ側へ移行し且つ該第１曲面部４２ｂ上を第２曲面部４２ｃ寄りへ向けて移動する。この結果、上記接点Ｐは、上記第１曲面部４２ｂ上を上記第２曲面部４２ｃ寄りに向けて移動することになる。この接点Ｐの移動に伴って、接触角αは「９．１°」から「１３．５°」と変化し、上記接点Ｐに作用する上記反力がこれに対抗する摩擦抵抗を上回り、次第に上記５を規制解除位置側へ回動させる力として働き、その分だけ上記ロックプレート６に掛けられる操作力を減ずることができ、結果的に、上記カムプレート５の回動操作をより小さな操作力で軽快に行うことができることになる。即ち、「操作性の向上」が実現されるものである。
【００５４】
図１５に示す状態から、図１７及び図１９に示すように、さらに上記カムプレート５が回動操作され、該カムプレート５の回動角が「５°」から「６°」と順次移行した場合には、図１８及び図２０に示すように、上記カムプレート５側の接触点がその第２曲面部５１ｂから第１曲面部５１ａ側へ移行し、該第１曲面部５１ａ上をその端部寄りへ移動し、又、上記ロックプレート４側の接触点はその第１曲面部４２ｂから第２曲面部４２ｃ側へ移行し且つ第２曲面部４２ｃ上をその端部寄りへ向けて移動する。その結果、上記接点Ｐは、上記第２曲面部４２ｃ上をその端部寄りに向けて移動することになる。この接点Ｐの移動に伴って、接触角αは「１７．９°」から「３２．５°」と変化し、上記接点Ｐに作用する上記反力がこれに対抗する摩擦抵抗をさらに上回り、上記ロックプレート６に掛けられる操作力が減ぜられ、最終的には、操作力を加えずとも上記反力のみによって上記５は規制解除位置側へ回動され、図２１に示す規制解除状態とされる。
【００５５】
以上のように、この実施形態のロック装置Ｚによれば、上記反力をうまくコントロールすることで、該反力をロック装置の性能向上に寄与させて、ロック保持機能の確保と操作性の向上の両立を実現できるものである。
【図面の簡単な説明】
【００５６】
【図１】本願発明の実施の形態に係るロック装置の全体斜視図である。
【図２】図１に示したロック装置の正面図である。
【図３】図２のＩＩＩ−ＩＩＩ断面図である。
【図４】ロック装置のロック状態説明図である。
【図５】ロック装置のロックオッフ状態説明図である。
【図６】ロックプレートの係合部及びカムプレートのカム面の形状説明図である。
【図７】ロックプレートとカムプレートの第１の係合状態（ロック状態）における概示図である。
【図８】図７の状態における係合部分の拡大図である。
【図９】ロックプレートとカムプレートの第２の係合状態における概示図である。
【図１０】図９の状態における係合部分の拡大図である。
【図１１】ロックプレートとカムプレートの第３の係合状態における概示図である。
【図１２】図１１の状態における係合部分の拡大図である。
【図１３】ロックプレートとカムプレートの第４の係合状態における概示図である。
【図１４】図１３の状態における係合部分の拡大図である。
【図１５】ロックプレートとカムプレートの第５の係合状態における概示図である。
【図１６】図１５の状態における係合部分の拡大図である。
【図１７】ロックプレートとカムプレートの第６の係合状態における概示図である。
【図１８】図１７の状態における係合部分の拡大図である。
【図１９】ロックプレートとカムプレートの第７の係合状態における概示図である。
【図２０】図１９の状態における係合部分の拡大図である。
【図２１】ロックプレートとカムプレートの第８の係合状態（ロックオッフ状態）における概示図である。
【符号の説明】
【００５７】
１      ・・ベース体
２      ・・第１支軸
３      ・・第２支軸
４      ・・ロックプレート
５      ・・カムプレート
６      ・・レリーズプレート
７      ・・第１スプリング
８      ・・第２スプリング
９      ・・操作ケーブル
１０    ・・ケーブルインナ
１１    ・・緩衝ゴム
１２    ・・ストライカ
１３    ・・ケーブル止着部
４１    ・・ロック溝
４２    ・・係合部
４３    ・・ガイド面
５１    ・・カム面
５２    ・・係合ピン
６１    ・・長溝
６３    ・・ワイヤ掛止部
Ｚ    ・・ロック装置
【図１】
2006176043.tif 000003
【図２】
2006176043.tif 000004
【図３】
2006176043.tif 000005
【図４】
2006176043.tif 000006
【図５】
2006176043.tif 000007
【図６】
2006176043.tif 000008
【図７】
2006176043.tif 000009
【図８】
2006176043.tif 000010
【図９】
2006176043.tif 000011
【図１０】
2006176043.tif 000012
【図１１】
2006176043.tif 000013
【図１２】
2006176043.tif 000014
【図１３】
2006176043.tif 000015
【図１４】
2006176043.tif 000016
【図１５】
2006176043.tif 000017
【図１６】
2006176043.tif 000018
【図１７】
2006176043.tif 000019
【図１８】
2006176043.tif 000020
【図１９】
2006176043.tif 000021
【図２０】
2006176043.tif 000022
【図２１】
2006176043.tif 000023